(57)【要約】【課題】交換スケジュール管理を効率よくできる発注支援装置を提供する。【解決手段】交換部品ごとに、交換部品の信頼性の重要度を示す信頼性重要度、事前保守または事後保守の保守方式、交換周期、前回の交換からの所要時間、交換部品を発注してから納入までに要する納期時間、最小在庫数、保守担当者が要求する要求在庫数、現在在庫数が記憶されている記憶部と、発注スケジュールの作成要求を受理した際に、交換周期、前回の交換からの所要時間、納期時間に基づいて、交換部品ごとの所定期間の発注スケジュールテーブル８３０を作成し、要求在庫数および現在在庫数に基づき発注すべき員数を表示するとともに、保守方式が事前方式の場合、発注を要する旨の識別情報を、保守方式が事後方式の場合、発注の検討を要する旨の識別情報を、保守方式にかかわらず、在庫に余剰があると判断された場合、余剰がある旨の識別情報を、表示部に表示する処理部とを有する。【選択図】図８
2014026415.tif 000002
【特許請求の範囲】
【請求項１】
交換部品ごとに、該交換部品の信頼性の重要度を示す信頼性重要度、事前保守または事後保守の保守方式、交換周期、前回の交換からの所要時間、該交換部品を発注してから納入までに要する納期時間、最小在庫数、保守担当者が要求する要求在庫数、現在在庫数が記憶されている記憶部と、
発注スケジュールの作成要求を受理した際に、前記交換周期、前記前回の交換からの所要時間、前記納期時間に基づいて、前記交換部品ごとの所定期間の発注スケジュールテーブルを作成し、前記要求在庫数および前記現在在庫数に基づき発注すべき員数を表示するとともに、前記保守方式が事前方式の場合、発注を要する旨の識別情報を、前記保守方式が事後方式の場合、発注の検討を要する旨の識別情報を、前記保守方式にかかわらず、在庫に余剰があると判断された場合、余剰がある旨の識別情報を、表示部に表示する処理部とを有する
ことを特徴とする発注支援装置。
【請求項２】
前記記憶部には、前記交換部品の所定期間の故障件数である故障頻度が登録されており、
前記処理部は、前記所定期間を前記故障件数で除算することにより、平均故障間隔を算出し、前記平均故障間隔が前記交換周期より小さい場合、前記交換周期に代えて前記平均故障間隔、前記前回の交換からの所要時間および前記納期時間に基づいて、前記交換部品ごとの所定期間の発注スケジュールテーブルを作成する
ことを特徴とする請求項１に記載の発注支援装置。
【請求項３】
前記処理部は、前記最小在庫数および前記現在在庫数に基づき発注の必要性があると判定した場合、前記納期時間を考慮して、いつまでに発注する必要があるかの旨を前記表示部に告知する
ことを特徴とする請求項１に記載の発注支援装置。
【請求項４】
前記記憶部には、前記交換部品の部品製造中止日、前記交換部品の代替品が記憶されており、
前記処理部は、前記表示部に表示した前記発注スケジュールテーブルの期間中に、前記交換部品の部品製造中止日があるときは、前記記憶部を検索して前記交換部品の代替品を選定し、
前記表示部に前記交換部品が製造中止の部品である旨および前記選定した代替品の情報を前記表示部に告知する
ことを特徴とする請求項１に記載の発注支援装置。
【請求項５】
前記記憶部には、前記部品不良であるか否かの情報が記憶されており、
前記処理部は、前記表示部に表示した交換部品が前記部品不良である場合、前記表示部に前記交換部品が部品不良である旨を前記表示部に告知する
ことを特徴とする請求項１に記載の発注支援装置。
【請求項６】
前記処理部は、発注オプションとして、
前記発注を要する旨の識別情報を選択する場合、または、
前記発注を要する旨の識別情報があり、かつ、前記信頼性重要度が高い場合、
のいずれかの選択ができる
ことを特徴とする請求項１に記載の発注支援装置。
【請求項７】
前記処理部は、前記発注スケジュールテーブルにおける前記発注オプションの選択がされ、発注依頼書の作成要求があると、前記交換部品ごとの発注依頼書の作成をする
ことを特徴とする請求項６に記載の発注支援装置。
【請求項８】
各製造工場の設備には、故障を監視する監視用通信機器を有し、
複数の監視用通信機器と請求項２に記載の発注支援装置とはネットワークを介して通信可能に接続されており、
前記発注支援装置の処理部は、前記複数の監視用通信機器からの故障情報を収集し、前記故障頻度を算出する場合、前記複数の監視用通信機器からの故障情報に基づいて、前記交換部品の所定期間の平均故障件数を算出し、該算出された平均故障件数を前記故障件数に用いる
ことを特徴とする発注支援装置。
【請求項９】
発注支援装置は、記憶部と処理部とを備え、
前記記憶部には、交換部品ごとに、該交換部品の信頼性の重要度を示す信頼性重要度、事前保守または事後保守の保守方式、交換周期、前回の交換からの所要時間、該交換部品を発注してから納入までに要する納期時間、最小在庫数、保守担当者が要求する要求在庫数、現在在庫数が記憶されており、
前記処理部は、発注スケジュールの作成要求を受理した際に、前記交換周期、前記前回の交換からの所要時間、前記納期時間に基づいて、前記交換部品ごとの所定期間の発注スケジュールテーブルを作成し、前記要求在庫数および前記現在在庫数に基づき発注すべき員数を表示するとともに、前記保守方式が事前方式の場合、発注を要する旨の識別情報を、前記保守方式が事後方式の場合、発注の検討を要する旨の識別情報を、前記保守方式にかかわらず、在庫に余剰があると判断された場合、余剰がある旨の識別情報を、表示部に表示する
ことを特徴とする発注支援方法。
【請求項１０】
前記記憶部には、前記交換部品の所定期間の故障件数である故障頻度が登録されており、
前記処理部は、前記所定期間を前記故障件数で除算することにより、平均故障間隔を算出し、前記平均故障間隔が前記交換周期より小さい場合、前記交換周期に代えて前記平均故障間隔、前記前回の交換からの所要時間および前記納期時間に基づいて、前記交換部品ごとの所定期間の発注スケジュールテーブルを作成する
ことを特徴とする請求項９に記載の発注支援方法。
【請求項１１】
前記交換部品の生産管理をする生産管理システムは、
請求項１から請求項８に記載のいずれか１項に記載の発注支援装置にネットワークを介して通信可能に接続されており、
前記発注支援装置に対して、前記交換部品の発注スケジュールの問い合わせをし、
前記発注支援装置から送信された前記交換部品の発注スケジュールを受信する
ことを特徴とする生産管理システム。
【発明の詳細な説明】
【技術分野】
【０００１】
本発明は、保守担当者が保守に必要な部品を発注するための発注支援装置、発注支援方法および生産管理システムに関する。
【背景技術】
【０００２】
鉄鋼プラントにおいては、コンピュータ、プラントコントローラ、ドライブシステム、センサシステムなどの各種のハードウェアを使用しているため、性能を維持するためにメンテナンスが必要である。このため、例えば、納入メーカの保守担当者は、顧客のニーズに応じるために、顧客から要求があった場合に即座にハードウェアに係わる部品を準備しなければならない。
【０００３】
特許文献１には、定期的なメンテナンスに必要な部品を効率的に発注するための交換部品発注処理装置が開示されている。交換部品管理サーバの制御部は、保守対象機器を特定し、保守担当者端末から注文条件を取得する。そして、制御部は保守対象機器の保守情報や部品情報を取得する。そして、制御部は、初期値設定処理の対象部品について予測残を算出し、予測残と最短サイクルとを比較する。予測残が最短サイクルより小さい場合、制御部は部品発注データ記憶部に交換個数をセットするようにしている。
【先行技術文献】
【特許文献】
【０００４】
【特許文献１】特開２００８−１８６１９２号公報
【発明の概要】
【発明が解決しようとする課題】
【０００５】
特許文献１に係る部品は、複合器などの電子機器を対象としたものであり、部品を交換するサイクルを特定するための量（交換サイクル量）に関するデータは、出力枚数に関するデータである。一方、鉄鋼プラントにおいては、多種多様な部品が対象となるため、交換サイクル量を所定のデータで決定することができないという問題がある。
【０００６】
また、鉄鋼プラントの電機品を構成する部品点数（消耗品、交換部品は含む）は、１万点以上あり、保守担当者が、今必要となる交換部品が何で、また、今後必要となる交換部品をどの順番で用意すればよいか（交換スケジュール）を効率良く把握する仕組みが渇望されていた。
【０００７】
本発明は、前記の課題を解決するための発明であって、交換スケジュール管理ができ、しかも、保守担当者が保守に必要な部品を効率よく発注することができる発注支援装置、発注支援方法および生産管理システムを提供することを目的とする。
【課題を解決するための手段】
【０００８】
前記目的を達成するため、本発明による発注支援装置（例えば、発注支援サーバ１０）は、交換部品ごとに、該交換部品の信頼性の重要度を示す信頼性重要度、事前保守または事後保守の保守方式、交換周期、前回の交換からの所要時間（例えば、使用月数）、該交換部品を発注してから納入までに要する納期時間、最小在庫数、保守担当者が要求する要求在庫数（例えば、最適在庫数）、現在在庫数が記憶されている記憶部と、発注スケジュールの作成要求を受理した際に、交換周期、前回の交換からの所要時間、納期時間に基づいて、交換部品ごとの所定期間の発注スケジュールテーブル（例えば、発注スケジュールテーブル８３０）を作成し、要求在庫数および現在在庫数に基づき発注すべき員数を表示するとともに、保守方式が事前方式の場合、発注を要する旨の識別情報（例えば、図８に示す○印）を、保守方式が事後方式の場合、発注の検討を要する旨の識別情報（例えば、図８に示す△印）を、保守方式にかかわらず、在庫に余剰があると判断された場合、余剰がある旨の識別情報（例えば、図８に示す□印）を、表示部に表示する処理部とを有することを特徴とする。
【発明の効果】
【０００９】
本発明によれば、交換スケジュール管理ができ、しかも、保守担当者が保守に必要な部品を効率よく発注することができる。
【図面の簡単な説明】
【００１０】
【図１】本発明の実施形態に係る発注支援システムを示す図である。
【図２】発注支援サーバのハードウェア構成を示す図である。
【図３】監視用通信機器のハードウェア構成を示す図である。
【図４Ａ】データベースの構成を示す図である。
【図４Ｂ】データベースの構成を示す図である。
【図４Ｃ】データベースの構成を示す図である。
【図５】発注支援の処理フローを示す図である。
【図６】登録画面の初期画面を示す図である。
【図７】登録画面による交換予備品・消耗品の設定方法を示す図である。
【図８】発注スケジュール画面による発注スケジュールの設定方法を示す図である。
【図９】発注依頼書の一例を示す図である。
【図１０】顧客企業、保守企業、部品生産企業との関係を示す図である。
【図１１】部品生産企業が需要先の発注予定を確認する確認画面を示す図である。
【発明を実施するための形態】
【００１１】
以下、本発明の実施形態を、図面を参照しながら詳細に説明する。
図１は、本発明の実施形態に係る発注支援システムを示す図である。発注支援システムは、基本的には、発注支援サーバ１０（発注支援装置）および保守担当者端末２０から構成される。また、図１には、発注支援システムに関連するものとして、製造工場３０、発注管理サーバ４０、および部品発注先システム５０がある。また、製造工場３０内には保守対象である設備３１０があり、設備３１０の監視用通信機器３２０が設置されている。発注支援サーバ１０、保守担当者端末２０、発注管理サーバ４０、監視用通信機器３２０、および部品発注先システム５０はネットワーク６０を介して相互に通信可能に接続されている。
【００１２】
発注支援サーバ１０は、ＣＰＵ１３（処理部）（図２参照）と、各種データを格納するデータベース２００（記憶部）とを有している。ＣＰＵ１３は、保守対象製品を検索する製品検索部１１０、製品を構成する部品の検索する部品検索部１２０、部品の故障情報を検索する故障情報検索部１３０、監視用通信機器３２０から故障情報を収集する故障情報収集部１４０、保守用の部品の発注スケジュールを作成する発注スケジュール作成部１５０、発注依頼書を作成する発注依頼書作成部１６０などの処理プログラムを実行する。
【００１３】
製品検索部１１０は、製品検索要求があると、製品名、製品ＩＤなどをキーとして該当する製品について、製品情報２１０（図２、図４Ｂ参照）などを検索する処理プログラムである。部品検索部１２０は、部品検索要求があると、部品名、部品ＩＤなどをキーとして該当する部品について、製品・利用部品情報２２０（図２、図４Ｂ参照）などを検索する処理プログラムである。故障情報検索部１３０は、部品の故障情報の取得要求があると、部品・修理情報２３１（図４Ｂ参照）などを検索し故障情報を検索する処理プログラムである。故障情報収集部１４０は、具体的には、多数の製造工場３０の設備３１０の状態を監視する監視用通信機器３２０から、故障情報を収集する処理プログラムである。発注スケジュール作成部１５０は、具体的には、図８に示す発注スケジュールテーブル８３０を作成する処理プログラムである。詳細については後記する。発注依頼書作成部１６０は、発注依頼書作成要求があると、具体的には、図９に示す発注依頼書９００を作成する処理プログラムである。詳細については後記する。
【００１４】
発注支援サーバ１０は、発注依頼書作成部１６０で作成した発注仕様書を発注管理サーバ４０に送信し、発注管理サーバ４０が、各発注先の部品発注先システム５０に、発注仕様書を発行する。発注管理サーバ４０は、発注データを一元管理するため、発注支援サーバ１０が有するデータベース２００を共通に使用することが好ましい。
【００１５】
本実施形態の発注支援システムは、保守担当者が、例えば、各地にある鉄鋼プラントの保守部品を準備する上で、下記の事項を実現することを狙いとしている。
（１）交換部品に対し、信頼性重要度を選定し、信頼性重要度の高い部品の予備品の確保を優先することで、不要な在庫を防ぐ必要がある。
（２）保全方式として、予防保全したいもの、事後保全でもよいものを設定し、事後保全でもよいものに関しては、不要な在庫を無理に抱えないことも、顧客にとっては必要である。予防保全に係る事前保守とは、顧客が気づく前に予備品を準備し、短時間で直すという保守方法である。事後保全に係る事後保守とは、顧客からの連絡後迅速な修理対応を行う保守方法である。（３）部品の故障に起因するリプレイス方式を、部品単位、ユニット単位、盤単位と設定することで、管理する部品点数を減らし、保守担当者の作業を軽減する必要がある。すなわち、鉄鋼プラントの１万点にも及ぶ部品を準備するのにかかる保守担当者の負担を軽減することである。
【００１６】
図２は、発注支援サーバのハードウェア構成を示す図である。発注支援サーバ１０は、表示装置１１（表示部）、入力装置１２（入力部）、ＣＰＵ１３（処理部）、通信装置１４、データベース２００（記憶部）、メモリ１００、およびこれらを接続するバス１５から構成される。表示装置１１は、ディスプレイなどであり、発注支援サーバ１０による処理の実行状況や実行結果などを表示する。入力装置１２は、キーボードやマウスなどのコンピュータに指示を入力するための装置であり、プログラム起動などの指示を入力する。ＣＰＵ１３は、メモリ１００に格納される各種プログラムを実行する。通信装置１４は、ネットワーク６０を介して、他の装置と各種データやコマンドを交換する。データベース２００は、発注支援サーバ１０が処理を実行するための各種データを保存する。メモリ１００は、発注支援サーバ１０が処理を実行する各種プログラムおよび一時的なデータを保持する。なお、ＣＰＵはCentral Processing Unitの略である。
【００１７】
メモリ１００には、図１において前記した製品検索部１１０、部品検索部１２０、故障情報検索部１３０、故障情報収集部１４０、発注スケジュール作成部１５０、発注依頼書作成部１６０などの処理プログラムが記憶されている。
【００１８】
データベース２００には、製品情報２１０、製品と部品との関連情報である製品・利用部品情報２２０、部品情報２３０、倉庫での管理品情報である倉庫・管理品情報２４０、倉庫情報２５０、顧客情報２６０などが記憶されている。詳細については、図４Ａ、図４Ｂ、図４Ｃにおいて後記する。
【００１９】
図３は、監視用通信機器のハードウェア構成を示す図である。監視用通信機器３２０は、ＣＰＵ３２１、設備３１０の状態を監視するセンサ３２２、設備３１０との入出力信号を送受信するＤＩ／ＤＯ３２３、メモリ３２４、記憶装置３２５、通信装置３２６を含んで構成される。ＣＰＵ３２１は、センサ３２２による計測値が異常であると判定した場合、または、ＤＩ／ＤＯ３２３による設備３１０の異常信号などを検知した場合、設備３１０の異常個所である装置または機器についての故障情報を、通信装置３２６を介して発注支援サーバ１０に送信する。発注支援サーバ１０の故障情報収集部１４０（図１参照）は、複数の監視用通信機器３２０からの装置または機器についての故障情報を収集する。
【００２０】
図４Ａ、図４Ｂ、図４Ｃは、データベースの構成を示す図である。データベース２００には、各種の情報が記憶されている。図４Ａは、顧客情報２６０、顧客が保有する製造工場または設備を識別する顧客・サイト情報２７０、サイト情報２８０、およびサイトに納入された製品を識別するサイト・納入製品情報２９０を示す。図４Ｂは、製品情報２１０、製品の修理情報である製品・修理情報２１１、製品の発注先である製品・発注先情報２１２、製品の代替品である製品・代替品情報２２１、製品・利用部品情報２２０、部品の修理情報である部品・修理情報２３１、部品の発注先である部品・発注先情報２３２、および部品の代替品である部品・代替品情報２３３を示す。図４Ｃは、部品情報２３０、倉庫・管理品情報２４０、倉庫情報２５０、および倉庫への入庫および倉庫からの出庫の情報である倉庫・入出庫情報２５１を示す。
【００２１】
製品情報２１０には、製品名、製品使用条件、製品期待寿命、製品製造メーカ、製品適合規格、製品利用用途、製品製造中止日、製品不良フラグなどが関連付けられて記憶されている。製品の修理情報である製品・修理情報２１１には、製品名、修理・交換内容、製品故障頻度などが関連付けられて記憶されている。製品の発注先である製品・発注先情報２１２には、製品名、製品発注先、製品納期、製品単価、製品保障条件、製品保障期間などが関連付けられて記憶されている。製品の代替品である製品・代替品情報２２１には、製品名、代替製品名、代替製品メーカ、代替製品納期などが関連付けられて記憶されている。
【００２２】
なお、故障頻度とは、所定期間の故障発生回数を意味する。例えば、所定期間を２年として、故障が４回とすると、平均故障間隔（ＭＴＢＦ）は、２４／４として６ヶ月／件となる。また、所定期間を２年として、故障が５回とすると、平均故障間隔（ＭＴＢＦ）は、４．８ヶ月／件となる。なお、平均故障間隔（ＭＴＢＦ）は、あるシステムや機械が故障するまでの時間の平均値であり、修理系（直しながら使うシステムや機械）に適用する。
【００２３】
また、発注支援サーバ１０の故障情報収集部１４０（図１参照）を利用して、故障頻度を算出する場合は、複数の監視用通信機器３２０からの故障情報に基づいて、所定期間の平均故障回数を算出して求めると、前記平均故障間隔の精度がさらに向上する。すなわち、各製造工場３０の設備には、故障を監視する監視用通信機器３２０を有し、複数の監視用通信機器３２０と発注支援サーバ１０とはネットワークを介して通信可能に接続されており、発注支援サーバ１０の処理部は、複数の監視用通信機器３２０からの故障情報を収集し、故障頻度を算出する場合、複数の監視用通信機器３２０からの故障情報に基づいて、交換部品の所定期間の平均故障件数を算出し、該算出された平均故障件数を前記故障件数に用いるとよい。
【００２４】
製品・利用部品情報２２０には、製品名、部品名、部品の製造単位となる部品製造ロット、ロットの製造期間を示すロット製造期間、部品交換周期、部品使用期間、部品の重要度である部品信頼性重要度、部品の保守方式である部品保守区分などが関連付けられて記憶されている。部品・修理情報２３１には、部品を利用している製品名、部品名、修理の交換情報である修理・交換内容、部品故障頻度などが関連付けられて記憶されている。部品・発注先情報２３２には、部品を利用している製品名、部品名、部品発注先、部品納期、部品単価、部品保障条件、部品保障期間などが関連付けられて記憶されている。部品・代替品情報２３３には、部品を利用している製品名、部品名、代替部品名、代替部品メーカ、代替部品納期などが関連付けられて記憶されている。
【００２５】
次に、図４Ｃについて説明する。部品情報２３０には、部品名、部品使用条件、部品期待寿命、部品製造メーカ、部品適合規格、部品利用用途、部品製造中止日、部品不良フラグなどが関連付けられて記憶されている。
【００２６】
倉庫・管理品情報２４０には、倉庫名、製品名、製品管理ＩＤ、部品名、部品管理ＩＤ、最大在庫数、現在在庫数、最適在庫数、最小在庫数、管理責任者などが関連付けられて記憶されている。
【００２７】
倉庫情報２５０には、倉庫名、サイト名、場所などが関連付けられて記憶されている。
倉庫への入庫および倉庫からの出庫の情報である倉庫・入出庫情報２５１には、倉庫名、製品管理ＩＤ、部品管理ＩＤ、入庫日、出庫日、利用製品名などが関連付けられて記憶されている。
【００２８】
次に図４Ａについて説明する。顧客情報２６０には、顧客名などが関連付けられて記憶されている。顧客が保有する製造工場または設備を識別する顧客・サイト情報２７０には、顧客名、サイト名などが関連付けられて記憶されている。製造工場または設備を意味するサイト情報２８０には、サイト名などが関連付けられて記憶されている。サイトに納入された製品を識別するサイト・納入製品情報２９０には、サイト名、製品名、製品製造ロット、ロット製造期間、製品交換周期、製品使用期間などが関連付けられて記憶されている。
【００２９】
図５は、発注支援の処理フローを示す図である。図５を参照して、交換予備品または消耗品の登録処理、発注スケジュールの設定処理、および発注依頼書作成処理について説明する。図５に示す発注支援の処理フローは、ＣＰＵ１３（処理部）（図２参照）によって実行される。保守担当者端末２０から保守支援システムに対して登録要求があると、発注支援サーバ１０は、製品名選択の初期画面（図６参照）を保守担当者端末２０に表示する（ステップＳ５０１）。
【００３０】
図６は、登録画面の初期画面を示す図である。画面６００には、製品名選択欄６１０があり、製品名欄６１１のプルダウンメニューから製品名を選択し、または製品名を入力できるようになっている。保守担当者は、プルダウンメニューから製品名を選択し、または製品名を入力したのち、マウスなどで決定ボタン６１２を押下する。なお、画面６００においては、製品名での例を示しているが、設備名、サイト名といった単位でも設定できることが好ましい。
【００３１】
図５に戻り、発注支援サーバ１０は、決定ボタン６１２が押下されると、登録画面（図７参照）を表示する（ステップＳ５０２）。図７に示す画面６００を参照して、保守担当者の入力例について説明する。
【００３２】
図７は、登録画面による交換予備品・消耗品の設定方法を示す図である。図７の画面６００には、図６における製品名選択欄６１０以外に、入力欄６２０が表示される。入力欄６２０は、表示切替欄６２１、入力テーブル６３０、入力項目をデータベース２００に登録するための登録ボタン６２２を有している。表示切替欄６２１は、部品、ユニット、盤などの単位で切り替えることができ、本画面例では、部品単位の表示となっている。
【００３３】
入力テーブル６３０は、型式６３１、期待寿命６３２、信頼性に関する重要度である信頼性重要度６３３、保守方式６３４、使用月数６３５、故障頻度６３６、現在在庫数６３７、納期６３８、発注単価６３９、最適在庫数６３Ａ、最小在庫数６３Ｂなどを含んで構成される。
【００３４】
信頼性重要度６３３は、プルダウンメニューにより下記の重要度Ａ〜Ｄが選択できる。
Ａ：万一、故障し予備品が無い場合はシステムダウンし致命的影響を与えるもの。
Ｂ：故障の場合、機能が低下縮小されるもの。
Ｃ：故障の場合、機能が低下縮小されるもの。但し、市販品でも代替可能なもの。
Ｄ：通常の使用状態においては交換の必要はないが、万一を考えると準備しておきたいもの。
なお、デフォルト値は、事前に与えられており、変更も可能である。
【００３５】
保守方式６３４は、プルダウンメニューにより、下記の保守方式が選択できる。
“事前”：事前の保守に使われるもの。
“事後”：事後の修理・交換に使われるもの。
【００３６】
使用月数６３５は、保管倉庫から搬出されて交換された後、現在までの使用期間を意味する。
【００３７】
故障頻度６３６は、保守担当者がこれまでの実績から入力してもよいし、故障情報収集部１４０から得られた故障頻度を自動的に入力してもよい。
【００３８】
各項目とデータベースとの関係について説明する。
型式６３１は部品情報２３０の部品名に対応し、期待寿命６３２は部品情報２３０の部品・期待寿命または製品・利用部品情報２２０の部品交換周期に対応し、信頼性重要度６３３は製品・利用部品情報２２０の部品信頼性重要度に対応し、保守方式６３４は製品・利用部品情報２２０の部品保守区分に対応し、使用月数６３５は製品・利用部品情報２２０の部品使用期間に対応し、故障頻度６３６は部品・修理情報２３１の部品故障頻度に対応し、現在在庫数６３７は倉庫・管理品情報２４０の現在在庫数に対応し、納期６３８は部品・発注先情報２３２の部品納期に対応し、発注単価６３９は部品・発注先情報２３２の部品単価に対応し、最適在庫数６３Ａは、倉庫・管理品情報２４０の最適在庫数に対応し、最小在庫数６３Ｂは倉庫・管理品情報２４０の最小在庫数に対応する。
【００３９】
型式６３１（図７の例では部品名）の項目が入力されると、発注支援サーバ１０は、期待寿命６３２、信頼性重要度６３３、納期６３８、および発注単価６３９の項目を、データベース２００から自動的に取得し、画面６００に表示する。なお、期待寿命６３２、信頼性重要度６３３、納期６３８、および発注単価６３９の項目は、部品メーカの販売担当者などの情報により、データベース２００に予め登録しておくとよい。
【００４０】
保守担当者が、画面６００の保守方式６３４、使用月数６３５、故障頻度６３６、現在在庫数６３７、最適在庫数６３Ａ、および最小在庫数６３Ｂの項目について入力する。
【００４１】
画面６００の入力例を具体的に説明すると、型式６３１がＸ１の場合、期待寿命６３２は６ヶ月、信頼性重要度６３３は重要度Ａ、保守方式６３４は“事前”、使用月数６３５は３ヶ月、故障頻度６３６は未入力、現在在庫数６３７は“１”、納期６３８は１ヶ月、発注単価６３９は２００Ｋ円、最適在庫数６３Ａは“３”、最小在庫数６３Ｂは“１”である。また、型式６３１がＸ２の場合、期待寿命６３２は６ヶ月、信頼性重要度６３３は重要度Ｃ、保守方式６３４は“事後”、使用月数６３５は３ヶ月、故障頻度６３６は未入力、現在在庫数６３７は“０”、納期６３８は１ヶ月、発注単価６３９は５０Ｋ円、最適在庫数６３Ａは“１０”、最小在庫数６３Ｂは“１０”である。
【００４２】
保守担当者が、保守部品の入力を終了し登録ボタン６２２を押下すると、図５に戻り、発注支援サーバ１０は、データベース２００に入力情報を登録する（ステップＳ５０３）。そして、発注支援サーバ１０は、発注スケジュール設定の画面８００（図８参照）を、保守担当者端末２０に表示する（ステップＳ５０４）。
【００４３】
図８は、発注スケジュール画面による発注スケジュールの設定方法を示す図である。図８の画面８００には、製品名選択欄８１０、発注スケジュール欄８２０が表示される。製品名選択欄８１０は、製品名欄８１１を有し、プルダウンメニューから製品名の選択または製品名を入力できるようになっている。保守担当者は、プルダウンメニューから製品名の選択または製品名を入力したのち、マウスなどで決定ボタン８１２を押下する。なお、画面６００においては、製品名での例を示しているが、設備名、サイト名といった単位でも設定できることが好ましい。
【００４４】
本実施形態では、画面６００で登録ボタン６２２（図７参照）が押下された後、画面８００を表示する説明としているが、この場合は、画面６００での入力情報を基づいて、画面８００が生成される。また、保守担当者が、画面６００を介せずに発注スケジュール作成要求すると、画面８００が表示されるので、プルダウンメニューから製品名を選択するとよい。
【００４５】
発注スケジュール欄８２０は、表示切替欄８２１、発注スケジュールテーブル８３０、発注依頼書を作成するための発注依頼書作成ボタン８２２、発注品の選択ができる発注オプション欄８２３を有している。
【００４６】
表示切替欄８２１は、部品、ユニット、盤などの単位で切り替えることができ、本画面例では、部品単位の表示となっている。部品、ユニット、および盤の関係は、一般的には、盤は複数のユニットで構成されており、ユニットは複数の部品で構成されている。すなわち、単位の大きさは、盤＞ユニット＞部品となる。盤を選択すると、構成するユニットおよびユニットを構成する部品が表示される。また、ユニットを選択すると構成する部品が表示される。
【００４７】
発注スケジュールテーブル８３０は、交換予備品／消耗品８３１、発注スケジュール８３２の項目を含んで構成される。交換予備品／消耗品８３１は、型式、信頼性重要度、保守方式の項目を含み、各項目は図７に示す型式６３１、信頼性重要度６３３、保守方式６３４に対応している。なお、交換予備品／消耗品とは、部品情報２３０（図４Ｃ参照）の部品期待寿命または製品・利用部品情報２２０（図４Ｂ参照）の部品交換周期に、何からの期限が入力されているものを意味する。
【００４８】
発注スケジュール８３２には、交換周期、および、例えば四半期ごとの項目が表示される。図８に示す例の場合、交換周期が半年および１年の例であるので、四半期ごとの表示としている。交換周期が３ヶ月程度である場合は、月ごと、週ごとの表示に切り換えられる。発注スケジュール８３２には、○／△／□の表示がされるプルダウンメニュー欄８３３、および発注数量・金額表示欄８３４がある。なお、交換周期は、図７に示す期待寿命６３２に対応して規定されている。
【００４９】
発注数量・金額表示欄８３４は、例えば、（発注数量：単価金額）で表示され、数量の値は、マウスなどで選択した値を変更することができる。プルダウンメニュー欄８３３には、○／△／□が表示され、プルダウンメニューにより切り換えられる。なお、○／△／□の表示は下記の定義による。
・保守方式：事前の場合、デフォルトで○を表示する。
・保守方式：事後の場合、デフォルトで△を表示する。
但し、保守方式にかかわらず、
・在庫に余剰がある場合、デフォルトで□を表示する。すなわち、現在在庫数−最小在庫数＞０である場合において表示する。
【００５０】
発注支援サーバ１０は、原則的に、発注数量の算出については、最適在庫数と現在在庫数とに基づいて不足する差分を表示する。しかしながら、表示された発注数量に対し、最小の発注単位まで設定変更することができる。
【００５１】
現在日が２０ＸＸ年３月末日として具体的に説明すると、型式Ｘ１の場合、保守方式が事前、使用月数が３ヶ月、期待寿命が６ヶ月、納期が１ヶ月（図７参照）であるので、第１四半期（４〜６月）に発注する必要（デフォルトで○を表示）があり、最適在庫数と現在在庫数とに基づいて不足する差分である発注数は「２」と表示される。しかしながら、保守担当者は、顧客側の予算などの関係上今回は厳しいと判断した場合などに、最小在庫数を維持しながら、発注数量を低減することができる。すなわち、図８においては、最小発注量である「１」と設定されている。また、型式Ｘ１の場合、保守担当者は、交換周期が半年ごとであるので、第３四半期（１０〜１２月）に発注予定が自動的に表示されている。
【００５２】
なお、発注数量・金額表示欄８３４をマウスなどでクリックすると子画面を表示し、子画面には、型式、発注先企業名、発注部品名、部品スペック、発注数量、希望納期、発注期限などの表示があることが好ましい。なお、型式Ｘ１の第１四半期の発注予定の場合は、発注期限は、納期を考慮すると、少なくとも２０ＸＸ年５月末日までに発注する必要があることが自動的に算出される。
【００５３】
型式Ｘ２の場合、保守方式が事後、使用月数が３ヶ月であり、期待寿命が６ヶ月、納期が１ヶ月（図７参照）であるので、第１四半期（４〜６月）に発注する必要（デフォルトで△を表示）があり、最適在庫数と現在在庫数とに基づいて不足する差分である発注数は「１０」と表示される。また、型式Ｘ２の場合、保守担当者は、交換周期が半年ごとであるので、第３四半期（１０〜１２月）に発注予定が自動的に表示されている。
【００５４】
型式Ｘ３の場合、保守方式が事前、使用月数が１０ヶ月であり、期待寿命が１２ヶ月、納期が２ヶ月（図７参照）であるので、第１四半期（４〜６月）に発注する必要（デフォルトで□を表示）があり、最適在庫数と現在在庫数とに基づいて不足する差分である発注数は「２」と表示される。また、型式Ｘ３の場合、第２から第４四半期には発注の予定がない。なお、デフォルトで□が表示されるのは、現在在庫数と最小在庫数とに基づく差分が「１」（１＞０）と余裕があるためである。
【００５５】
型式Ｘ４の場合、保守方式が事前、使用月数が１ヶ月、期待寿命が６ヶ月、納期が１ヶ月（図７参照）であるので、第２四半期（７〜９月）に発注する必要（デフォルトで○を表示）があり、最適在庫数と現在在庫数とに基づいて不足する差分である発注数は「２」と表示される。しかしながら、保守担当者は、顧客側の予算などの関係上今回は厳しいと判断した場合などに、最小在庫数を維持しながら、発注数量を低減することができる。すなわち、図８においては、最小発注量である「１」と設定されている。また、型式Ｘ４の場合、保守担当者は、交換周期が半年ごとであるので、第４四半期（１〜３月）に発注予定が自動的に表示されている。
【００５６】
型式Ｘ５の場合、保守方式が事前、使用月数が１３ヶ月であり、期待寿命が２４ヶ月、納期が３ヶ月（図７参照）であるので、第４四半期（１〜３月）に発注する必要（デフォルトで□を表示）があり、最適在庫数と現在在庫数とに基づいて不足する差分である発注数は「２」と表示される。なお、デフォルトで□が表示されるのは、現在在庫数と最小在庫数との差分が「１」（１＞０）と余裕があるためである。
【００５７】
発注品の選択ができる発注オプション欄８２３は、例えば、下記の設定ができる。
・○のみ
・○∩Ａ        ：○のみ、かつ、重要度Ａ
・○∩（Ａ＋Ｂ）：○のみ、かつ、重要度Ａまたは重要度Ｂ
【００５８】
図８に示す例においては、発注オプション欄８２３で「○のみ」が選択され、発注スケジュールテーブル８３０には、四半期（４半期）ごと、半期ごと、年間の発注予定の予算合計が算出されている。具体的に説明すると、第１四半期では、型式Ｘ１の発注予定であり、第２四半期では、型式Ｘ４の発注予定である。また、第３四半期では、型式Ｘ１の発注予定であり、第４四半期では、型式Ｘ４の発注予定である。
【００５９】
保守担当者は、図８に示す発注スケジュールを参照することにより、「○のみ」でよいのか、顧客の製造設備の状況および予算に合わせて、「○∩Ａ」に変更した方がよいのか、あるいは、「○∩（Ａ＋Ｂ）」に変更した方がよいのかを、容易に変更して参照することができる。
【００６０】
保守担当者は、画面８００に表示された発注スケジュールでよければ、発注依頼書作成ボタン８２２を押下すると、図５に戻り、発注支援サーバ１０は、発注依頼書作成要求を受理し（ステップＳ５０５）、発注依頼書画面を表示する（ステップＳ５０６）。
【００６１】
図９は、発注依頼書の一例を示す図である。図９は、保守担当者端末２０に表示される発注依頼書９００の例である。発注依頼書９００には、発注先企業名、発注部品名、部品スペック、発注数量、希望納期などが記載されている。なお、希望納期は、発注期日、部品の納期を考慮した日付が自動的に算出され記載されている。
【００６２】
本実施形態では、図７および図８において、使用月数、期待寿命、納期などを月数で示して説明したが、日数、時間数などで管理してもよい。
【００６３】
本実施形態では、保守担当者が保守担当者端末２０を介して発注支援サーバ１０にアクセスしているが、発注支援サーバ１０の入力装置１２（入力部）、表示装置１１（表示部）を使用してもよい。発注支援サーバ１０は、交換部品ごとに、該交換部品の信頼性の重要度を示す信頼性重要度、事前保守または事後保守の保守方式、交換周期、前回の交換からの所要時間、該交換部品を発注してから納入までに要する納期時間、最小在庫数、保守担当者が要求する要求在庫数(最適在庫数)、現在在庫数が記憶されている記憶部（例えば、データベース２００）と、発注スケジュールの作成要求を受理した際に、交換周期、前回の交換からの所要時間、納期時間に基づいて、交換部品ごとの所定期間の発注スケジュールテーブルを作成し、要求在庫数および現在在庫数とに基づき発注すべき員数を表示するとともに、保守方式が事前方式の場合、発注を要する旨の識別情報を、保守方式が事後方式の場合、発注の検討を要する旨の識別情報を、保守方式にかかわらず、在庫に余剰があると判断された場合、余剰がある旨の識別情報を、表示部（例えば、表示装置１１）に表示する処理部（例えば、ＣＰＵ１３）とを有している。
【００６４】
また、処理部は、最小在庫数および現在在庫数に基づき発注の必要性があると判定した場合、納期時間を考慮して、いつまでに発注する必要があるかの旨を表示部に告知するとよい。これにより、保守担当者は、発注忘れを防止することができる。
【００６５】
また、記憶部には、交換部品の部品製造中止日、交換部品の代替品が記憶されており、処理部は、表示部に表示した発注スケジュールテーブルの期間中に、交換部品の部品製造中止日があるときは、記憶部を検索して交換部品の代替品を選定し、表示部に交換部品が製造中止の部品である旨および選定した代替品の情報を表示部に告知するとよい。これにより、保守担当者は、製造中止の部品である旨を発注スケジュールの作成段階で知ることができ、代替品の発注をすることができる。
【００６６】
また、記憶部には、部品不良であるか否かの情報（例えば、図４Ｃの部品情報２３０にある部品不良フラグ）が記憶されており、処理部は、表示部に表示した交換部品が部品不良である場合、表示部に交換部品が部品不良である旨を表示部に告知するとよい。これにより、保守担当者は、交換部品の発注予定を停止することができる。なお、部品不良フラグには、部品に不具合がある部品不良に限定することなく、設計不良などの部品不良に関する情報も含めることが好ましい。
【００６７】
また、処理部は、発注オプションとして、
発注を要する旨の識別情報を選択する場合（例えば、図８に示す○印のみ）、
発注を要する旨の識別情報があり、かつ、信頼性重要度が高い場合（例えば、図８に示す○印であり、かつ、重要度Ａの場合）
のいずれかの選択ができることができる。これにより、保守担当者が、信頼性重要度を加味して発注することができる。
【００６８】
また、処理部は、発注スケジュールテーブルにおける発注オプションの選択がされ、発注依頼書の作成要求があると、交換部品ごとの発注依頼書の作成をすることができる。
【００６９】
さらに、記憶部には、交換部品の所定期間の故障件数である故障頻度が登録されており、処理部は、所定期間を故障件数で除算することにより、平均故障間隔を算出し、平均故障間隔が交換周期より小さい場合、交換周期に代えて平均故障間隔、前回の交換からの所要時間および納期時間に基づいて、交換部品ごとの所定期間の発注スケジュールテーブル８３０を作成することができる。これにより、当初の交換周期より交換予定が早くなったと予想される場合においても、保守担当者は、交換部品を準備することができる。なお、平均故障間隔が交換周期以上の場合は、交換周期は期待寿命に基づいて決定するとよい。
【００７０】
本実施形態では、納入メーカの保守担当者として説明したが、これに限定されるものではない。設備を管理する顧客側の保守担当者が自社の発注支援サーバ１０を利用してもよい。
【００７１】
次に、部品発注先システム５０が、図８に示した発注スケジュール８３０を利用する場合について説明する。
図１０は、顧客企業、保守企業、部品生産企業との関係を示す図である。適宜図１を参照して説明する。図１０には、鉄鋼プラントを有する顧客企業１、鉄鋼プラントの保守を請け負っている保守企業２、鉄鋼プラントの保守用部品を生産する部品生産企業３との関係を示している。顧客企業１は、発注支援サーバ１０、保守担当者端末２０、製造工場３０、および発注管理サーバ４０を有している。保守企業２は、発注支援サーバ１０、保守担当者端末２０、および発注管理サーバ４０を有している。部品生産企業３は、部品発注先システム５０および部品生産工場７０を有し、部品生産工場７０は、生産システム７１０および生産調整システム７２０を有している。
【００７２】
各顧客企業１または保守企業２が保有する発注支援サーバ１０は、各保守担当員が作成または訂正した、発注スケジュールテーブル８３０をデータベース２００に記憶している。
【００７３】
部品生産企業３の生産調整システム７２０は、自工場で生産する部品/ユニット/製品に対し、部品発注先システム５０を経由して、発注スケジュールテーブル８３０に関する問い合わせを、各顧客企業１および保守企業２が有する発注支援サーバ１０にする。
【００７４】
問い合わせのあった各発注支援サーバ１０は、問い合わせのあった生産調整システム７２０に問い合わせの部品などについての発注予定を通知する。この場合、各発注支援サーバ１０は、送信情報として、○／△／□（図８参照）の情報のすべてを送信するのが好ましい。
【００７５】
生産調整システム７２０は、各発注支援サーバ１０からの送信情報に基づいて、生産調整の管理を行う。また、生産調整システム７２０は、部品発注先システム５０が生産調整システム７２０に、現在の需要状況の問い合わせをしたときは、需要スケジュールを表示する（図１１参照）。生産調整システム７２０は、部品発注先システム５０に需要スケジュールを表示する際、需要スケジュールに関する必要なもののみを伝達し、該当する部品/ユニット/製品に対する需要スケジュールテーブル１１３２（図１１参照）を作成する。なお、生産調整システム７２０側においても、生産管理者の端末に表示してもよい。
【００７６】
図１１は、部品生産企業が需要先の発注予定を確認する確認画面を示す図である。図１１とは、部品発注先システム５０が生産調整システム７２０に、例えば、部品名Ｘ７で問い合わせをしたときに表示される需要スケジュールの確認用の画面１１００となる。
【００７７】
図１１の画面１１００には、部品名選択欄１１１０、需要スケジュール欄１１２０が表示される。部品名選択欄１１１０は、部品名欄１１１１を有し、プルダウンメニューから部品名の選択または部品名を入力できるようになっている。部品生産企業３の管理者は、プルダウンメニューから製品名の選択または製品名を入力したのち、マウスなどで決定ボタン１１１２を押下する。
【００７８】
需要スケジュール欄１１２０は、需要スケジュールテーブル１１３０および計算の選択ができる計算オプション欄１１２３を有している。
【００７９】
需要スケジュールテーブル１１３０は、需要先情報１１３１、需要スケジュール１１３２の項目を含んで構成される。需要先情報１１３１は、顧客企業１の識別情報である顧客、信頼性重要度、保守方式の項目を含む。
【００８０】
需要スケジュール１１３２には、交換周期、および、例えば四半期ごとの項目が表示される。図１１に示す例の場合、交換周期が半年および１年の例であるので、四半期ごとの表示としている。交換周期が３ヶ月程度である場合は、月ごと、週ごとの表示に切り換えられる。需要スケジュール１１３２には、○／△／□の表示がされるプルダウンメニュー欄１１３３、および発注数量・金額表示欄１１３４がある。
【００８１】
発注数量・金額表示欄１１３４は、例えば、（発注数量：単価金額）で表示され、数量の値は、マウスなどで選択した値を変更することができる。プルダウンメニュー欄１１３３には、○／△／□が表示され、プルダウンメニューにより切り換えられる。なお、○／△／□の表示は、図８に示した定義による。
【００８２】
需要品の計算ができる計算オプション欄１１２３は、例えば、下記の設定ができる。
・○のみ
・○／△のみ    ：○または△
【００８３】
図１１に示す例においては、計算オプション欄１１２３で「○／△のみ」が選択され、需要スケジュールテーブル１１３０には、四半期（４半期）ごと、半期ごと、年間の発注予定の予算合計が算出されている。
【００８４】
本実施形態では、交換部品の生産管理をする生産管理システム（例えば、生産調整システム７２０）は、複数の発注支援装置（例えば、発注支援サーバ１０）にネットワークを介して通信可能に接続されており、複数の発注支援装置に対して、部品の発注スケジュールの問い合わせをし、複数の発注支援装置から送信された部品の発注スケジュールの情報を受信することができる。生産管理システムは、発注支援装置と連携しており、発注の需要に対して納期遅れがなく、生産管理を行うことができる。
【符号の説明】
【００８５】
１    顧客企業
２    保守企業
３    部品生産企業
１０    発注支援サーバ（発注支援装置）
１１    表示装置（表示部）
１２    入力装置（入力部）
１３    ＣＰＵ（処理部）
１４    通信装置
２０    保守担当者端末
３０    製造工場
４０    発注管理サーバ
５０    部品発注先システム
６０    ネットワーク
７０    部品生産工場
１００    メモリ
１１０    製品検索部
１２０    部品検索部
１３０    故障情報検索部
１４０    故障情報収集部
１５０    発注スケジュール作成部
１６０    発注依頼書作成部
２００    データベース（記憶部）
３１０    設備
３２０    監視用通信機器
６００，８００，１１００    画面
６３０    入力テーブル
７１０    生産システム
７２０    生産調整システム（生産管理システム）
８２３    発注オプション欄
８３０    発注スケジュールテーブル
９００    発注依頼書
【図１】
2014026415.tif 000003
【図２】
2014026415.tif 000004
【図３】
2014026415.tif 000005
【図４Ａ】
2014026415.tif 000006
【図４Ｂ】
2014026415.tif 000007
【図４Ｃ】
2014026415.tif 000008
【図５】
2014026415.tif 000009
【図６】
2014026415.tif 000010
【図７】
2014026415.tif 000011
【図８】
2014026415.tif 000012
【図９】
2014026415.tif 000013
【図１０】
2014026415.tif 000014
【図１１】
2014026415.tif 000015